(57)【要約】【課題】タグの動作電源を経済的に確保すると同時に、タグとリードライタ間通信距離を大きく確保しつつ、タグに対するデータ書込・読出を行うこと。【解決手段】周期的に所定期間に亘って電波送信状態におかれている汎用電波送信源としての携帯電話機３からの送信電波をタグ１０に受信させて、その送信電波を動作電源としてタグ１０を動作可能状態におく一方、上記送信電波をリーダライタ２０に受信させて、その送信電波が受信されている間に、タグ１０に対するデータの書込、またはタグ１０からのデータの読出が行われるようにした。【選択図】　図２
2004054515.tif 000002
【特許請求の範囲】
【請求項１】
周期的に所定期間に亘って電波送信状態におかれる汎用電波送信源からの送信電波が受信されている間、受信された送信電波を動作電源として動作可能状態におかれる無線タグと、
上記汎用電波送信源からの送信電波が受信されている間に、上記無線タグに対するデータ書込、または該無線タグからのデータ読出を行うリーダライタと
からなる無線タグシステム。
【請求項２】
上記汎用電波送信源は、無線電話機とされる請求項１記載の無線タグシステム。
【請求項３】
周期的に所定期間に亘って電波送信状態におかれている汎用電波送信源からの送信電波を受信している間、受信された送信電波を動作電源として動作可能状態におかれている無線タグに対し、データの書込、または該無線タグからのデータの読出を行うためのリーダライタであって、無線タグに対するデータ書込・読出のための既存手段に加え、
汎用電波送信源からの送信電波を受信する電波受信手段と、
該電波受信手段で上記送信電波が受信されている間に、無線タグに対するデータの書込、または該無線タグからのデータの読出を上記既存手段に許容させるためのキャリア検出手段と
が具備されてなるリーダライタ。
【請求項４】
リーダライタにより、無線タグへのデータ書込、または該無線タグからのデータ読出が行われる際でのデータ書込・読出方法であって、
周期的に所定期間に亘って電波送信状態におかれている汎用電波送信源からの送信電波を無線タグに受信させて、該送信電波を動作電源として上記無線タグを動作可能状態におく一方、上記送信電波をリーダライタに受信させて、該送信電波が受信されている間に、上記無線タグに対するデータの書込、または該無線タグからのデータの読出が行われるようにしたデータ書込・読出方法。
【請求項５】
上記汎用電波送信源は、無線電話機とされる請求項４記載のデータ書込・読出方法。
【発明の詳細な説明】
【０００１】
【発明の属する技術分野】
本発明は、無線タグ自体の動作電源が容易、且つ経済的に確保されることで、無線タグとリードライタ間の通信距離がより大きく確保された無線タグシステム、更には、その無線タグシステムに１構成要素として使用されて、無線タグとの間の通信距離が経済的により大きく確保可能とされたリードライタ、更にはまた、そのリードライタによる、無線タグに対するデータ書込・読出方法に関する。
【０００２】
【従来の技術】
これまでに、既にＲＦＩＤ（Ｒａｄｉｏ　Ｆｒｅｑｕｅｎｃｙ　Ｉｄｅｎｔｉｆｉｃａｔｉｏｎ）システム（ＩＤシステムやデータキャリアシステム等と称される場合もあり、ＲＦＩＤはＲＦＩＤシステムの略称）は実用化されているところである。このシステムは、云うなれば「高周波（無線）を使用した認識システム」であり、（無線）タグとリーダライタからシステム構成された上、タグに事前設定されている情報はリーダライタにより非接触に読出されたり、そのタグにはリーダライタにより情報が非接触に書込され得るものとなっている。因みに、そのようなシステムでのタグ・リーダライタ間通信方法としては、電磁結合方式や電磁誘導方式、電波通信方式等が挙げられるが、後述のように、本発明は電波通信方式に密接に関連したものとなっている（例えば、２．　４ＧＨｚ　帯のマイクロ波が用いられる場合を想定）。
【０００３】
ここで、従来技術に係るＲＦＩＤシステムについて言及すれば、図７にそのシステム概要を示す。図示のように、タグ１自体はタグチップ１１およびアンテナ（半波長のダイポールアンテナ等）１２から、また、リーダライタ２自体はホスト機器（携帯情報端末等）２１、リーダライタモジュール２３およびアンテナ２２からそれぞれ構成されているが、図８にそのシステムの更に詳細な構成を示す。
【０００４】
先ずタグ１での動作について説明すれば、図８に示すように、リーダライタ２からの、読出コマンドを示す電波（周波数：ｆ０　）がタグ１のアンテナ１２で受信された場合、その電波はタグチップ１１内の整流・復調部１１２で整流され、直流電源に変換されることで、タグチップ１１全体の動作電源が得られるものとなっている。この動作電源により復調機能が動作開始されることで、受信された電波はタグ１に対する読出コマンドであることが認識され得、この認識結果に基づき、メモリ部１１１からは事前設定情報（ＩＤ情報）が送信データとして読出されるが、この送信データはリーダライタ２への送信に先立って、変調部１１３で変調処理される。その変調部１１３は、具体的にはダイオードスイッチ１１３１として構成されており、ダイオードスイッチ１１３１は、その送信データのデータ状態に応じてＯＮ／ＯＦＦ状態におかれるものとなっている。即ち、データ状態が“１”である場合、ＯＮ状態におかれ、アンテナ１２はアンテナインピーダンス（例えば５０Ω）で終端されると同時に、リーダライタ２からの電波は吸収される。一方、データ状態が“０”である場合には、ＯＦＦ状態におかれ、ダイオードスイッチ１１３１はオープン状態におかれると同時に、アンテナ１２の終端もオープン状態となる。この際に、リーダライタ２からの電波は反射されることで、送信元であるリーダライタ２に戻されることになる。このような通信方法は、バックスキャッタ方式と称されている。何れにしても、タグ１自体は無電源ながらも、その内部事前設定情報がリーダライタ２側に送信され得るものである。
【０００５】
一方、リーダライタ２側での動作について説明すれば、タグ１内から事前設定情報が読出されるに際しては、ホスト機器２１からは読出指示が発行されるが、その読出指示はリーダライタモジュール２３内のホストインタフェース部２３１を介し通信制御部２３３に通知されるものとなっている。この通知を受け、通信制御部２３３からベースバンド処理部２３２には読出コマンドが発行されるが、ベースバンド処理部２３２では、その読出コマンドに基づき、送信データとしての編集、更にはフィルタリングが行われ、その送信データはベースバンド信号としてＡＳＫ変調部２３４に転送された上、周波数シンセサイザ２３８からのローカル周波数（周波数：ｆ０　）でＡＳＫ変調（振幅偏移変調（ａｍｐｌｉｔｕｄｅ　ｓｈｉｆｔ　ｋｅｙｉｎｇ））される。因みに、その周波数シンセサイザ２３８に対する周波数設定は通信制御部２３３から行われる。一般に、タグ１からの信号の定在波やマルチパスの軽減化上、タグ１への送信周波数はホッピングして用いられる。このホッピングの指示も通信制御部２３３から行われる。
【０００６】
以上のように、ＡＳＫ変調部２３４では、ベースバンド処理部２３２からのベースバンド信号がＡＳＫ変調されているが、このＡＳＫ変調されたベースバンド信号がサーキュレータ２３５を介しアンテナ２２からタグ１に向けて、電波として放射されているものである。この放射された電波はタグ１側で既述の如く処理されているが、バックスキャッタ方式でタグ１から電波として反射されてくる信号は、その周波数がリーダライタ２から送信される信号の周波数と同一となる。したがって、そのタグ１からの信号がアンテナ２２で受信された上、送信時と同一ローカル周波数が入力されているミキサ２３６に入力されれば、ミキサ２３６からはタグ１側での変調信号が出現されることになる。復調部２３７では、その信号から“１”，“０”のデータへの復調が行われた後、ベースバンド処理部２３２に転送され、ベースバンド処理部２３２ではまた、データがデコードされることで、タグ１内のメモリ部１１１上での情報、即ち、事前設定情報が抽出される。この事前設定情報は、通信制御部２３３による制御下に、ホストインタフェース部２３１を介しホスト機器２１に転送される。
【０００７】
以上のようにして、リーダライタ２によりタグ１内のメモリ部１１１上に事前設定されている情報が非接触で読出可能とされているわけであるが、一般的には、タグ１からのデータの読出の他、所望情報をリーダライタ２によりタグ１内のメモリ部１１１上にデータを書込することも可能とされている。
【０００８】
しかしながら、従来技術に係るＲＦＩＤシステム一般では、タグとリーダライタとの間の距離、即ち、通信距離の拡大化を図ろうにも、その拡大化には制限が加えられているのが実情である。これは、免許不要としてリーダライタから送信し得る電力には限界があり（例えば２００ｍＷ程度）、その通信距離はせいぜい５０ｃｍが実用上の上限とされているからである。一般的に、タグからの反射電波をリーダライタが受信することは容易とされているが、タグ側がリーダライタから電力の供給を受けて、反応・動作することには限界があり、これを要因として、通信距離の拡大化には制限が加えられていたものである。
【０００９】
ところで、以上の不具合を解決する技術が特開２０００―３３２６６４号公報に記載されており、これによる場合、リーダライタとは別個に設けられたキャリア信号源からのキャリア信号により、非接触情報媒体には動作電力が連続的に供給されている。
【００１０】
【発明が解決しようとする課題】
しかしながら、上記特開２０００―３３２６６４号公報による場合、非接触情報媒体とリーダライタ間の通信距離の拡大化や、複数の非接触情報媒体の同時活性化が可能とされているが、キャリア信号源自体はそのシステムに専用のものとされていることから、通信距離が容易、且つ経済的に拡大化され得ないものとなっている。また、リーダライタ自体が可搬型として使用される場合には、キャリア信号源自体も可搬型として使用されることになり、システムの搬送上、不利となっている。
【００１１】
本発明の目的は、無線タグ自体の動作電源が、リードライタ以外からの送信電波から容易、且つ経済的に確保されることによって、無線タグとリードライタ間の通信距離がより大きく確保された状態で、無線タグに対するデータ書込・読出が可能とされた無線タグシステムを提供することにある。
【００１２】
本発明の他の目的は、無線タグシステムに１構成要素として使用されて、無線タグとの間の通信距離が容易、且つ経済的により大きく確保された状態で、無線タグに対するデータ書込・読出が可能とされたリーダライタを提供することにある。
【００１３】
本発明の更なる他の目的は、無線タグ自体の動作電源が、リードライタ以外からの送信電波から容易、且つ経済的に確保されることによって、無線タグとリードライタ間の通信距離がより大きく確保されつつ、無線タグに対するデータ書込・読出を行い得るデータ書込・読出方法を提供することにある。
【００１４】
【課題を解決するための手段】
本発明の無線タグシステムは、周期的に所定期間に亘って電波送信状態におかれる汎用電波送信源からの送信電波が受信されている間、受信された送信電波を動作電源として動作可能状態におかれる無線タグと、上記汎用電波送信源からの送信電波が受信されている間に、上記無線タグに対するデータ書込、または該無線タグからのデータ読出を行うリーダライタとから構成されるようにしたものである。
【００１５】
したがって、無線タグでは、周期的に所定期間に亘って電波送信状態におかれている汎用電波送信源からの送信電波が受信されることで、周期的に所定期間に亘って動作可能状態におかれているが、上記送信電波はまた、リーダライタでも受信されることで、無線タグが動作可能状態におかれている期間がリーダライタで知れるものとなっている。よって、その期間内で、リーダライタにより無線タグに対するデータの書込、または無線タグからのデータの読出を行うようにすればよいものである。
【００１６】
【発明の実施の形態】
以下、本発明の一実施の形態を図１から図６により説明する。
先ず本発明の一実施の形態における無線タグシステムの一例でのシステム概要を図１に、また、そのシステムの更に詳細な一例での構成を図２にそれぞれ示す。図１，図２に示すように、従来技術に係るＲＦＩＤシステムとの最も大きな相違点としては、電波送信源として汎用電波送信源、例えば、現在、広く一般的に普及している無線電話機、より具体的には、携帯電話機３の使用が考えられていることである。この携帯電話機３からは、周期的に所定期間に亘って、例えば８００ＭＨｚ　帯、または１．　５ＧＨｚ　帯の電波（周波数：ｆ１　）が送信されているが、この電波を受信すべく、本発明に係るタグ１０には、既存機能に加え、アンテナ（半波長のダイポールアンテナ等）１３が新たに具備せしめられている。このアンテナ１３で受信された電波が整流部１４で整流されることで、タグ１０全体としての動作電源が十分に確保された上、各ブロックに供給されているものである。
【００１７】
一方、後述のように、本発明のリーダライタ２０でも携帯電話機３からの電波を受信すべく、既存機能に加え、アンテナ２４が新たに具備せしめられており、このアンテナ２４で受信された電波がキャリア検出部２５で処理されることによって、その電波が受信されている間に、タグ１０に対するデータの書込、またはそのタグ１０からのデータの読出が許容されるようになっている。具体的には、キャリア検出部２５は、受信された電波より送信開始／終了タイミングを検出の上、その送信開始タイミングに同期して、タグ１０に対するデータの書込や、タグ１０からのデータの読出が行われるべく機能しているものである。
【００１８】
以上のように、本発明に係るタグ１０には、既存のタグチップ１１やアンテナ１２に加え、アンテナ１３や整流部１４が新たに設けられているが、このタグ１０からリーダライタ２０によりデータの読出が行われるに際しては、これに先立って、タグ１０の近傍で、携帯電話機３から本システムのサービス提供サイトをフリーダイヤル等の電話番号により呼出することが必要となっている。電話回線を介しそのサービス提供サイトに接続されると、携帯電話機３からは、例えば日本のＰＤＣ（ｐｅｒｓｏｎａｌ　ｄｉｇｉｔａｌ　ｃｅｌｌｕｌａｒ　）方式で、周期（２０ｍｓｅｃ　）的に所定期間（約６．　７ｍｓｅｃ　）に亘って電波（周波数：ｆ１　）がバースト的に送信されるようになっている。その際での送信電力は０．　８Ｗ程度であり、これは、リーダライタ２０から送信される電波のそれより相当大きな値となる。既述のように、この電波がタグ１０で受信されることにより、たとえ、タグとリーダライタ間の通信距離が拡大されたとしても、タグ１０全体としての動作電源が必要十分に得られるものである。
【００１９】
一方、リーダライタ２０では、携帯電話機３からの電波がアンテナ２４で受信された上、キャリア検出部２５で処理されることによって、その電波の送信開始／終了タイミングが検出されているが、その送信開始タイミングに同期して、タグ１０からのデータの読出が行われるべく、リーダライタ２０からは電波（周波数：ｆ０　）がタグ１０に向けて送信される（この際でのリーダライタ２０の動作については後述）。リーダライタ２０からの、読出コマンドを示す電波（周波数：ｆ０　）がタグ１０のアンテナ１２で受信された場合、その電波はタグチップ１１内の整流・復調部１１２で整流され、直流電源に変換されることで、タグチップ１１全体としての動作電源が得られるものである。結局、２系統の動作電源により復調機能が動作開始されることで、受信された電波はタグ１０に対する読出コマンドであることが認識され得、この認識結果に基づき、メモリ部１１１からは事前設定情報（ＩＤ情報）が送信データとして読出されるが、この送信データはリーダライタ２０への送信に先立って、変調部１１３で変調処理される。その変調部１１３は、具体的にはダイオードスイッチ１１３１として構成されており、ダイオードスイッチ１１３１は、その送信データのデータ状態に応じてＯＮ／ＯＦＦ状態におかれる。即ち、データ状態が“１”である場合、ＯＮ状態におかれ、アンテナ１２はアンテナインピーダンス（例えば５０Ω）で終端されると同時に、リーダライタ２０からの電波は吸収される。一方、データ状態が“０”である場合には、ＯＦＦ状態におかれ、ダイオードスイッチ１１３１はオープン状態におかれると同時に、アンテナ１２の終端もオープン状態となる。この際に、リーダライタ２０からの電波は反射されることで、送信元であるリーダライタ２０に戻されることになる。このような通信方法は、バックスキャッタ方式と称される。何れにしても、タグ１０自体は無電源ながらも、その内部事前設定情報がリーダライタ２０側に送信され得るものである。
【００２０】
ここで、リーダライタ２０側での構成とその動作について説明すれば、本発明のリーダライタ２０は、既存のホスト機器２１やアンテナ２２、リーダライタモジュール２３に加え、アンテナ２４やキャリア検出部２５が新たに具備せしめられた状態として構成されている。そして、タグ１０内から事前設定情報が読出されるに際しては、ホスト機器２１からは読出指示が発行されるが、その読出指示はリーダライタモジュール２３内のホストインタフェース部２３１を介し通信制御部２３３に通知されるものとなっている。この通知を受け、通信制御部２３３からベースバンド処理部２３２には読出コマンドが発行されるが、ベースバンド処理部２３２では、その読出コマンドに基づき、送信データとしての編集、更にはフィルタリングが行われ、その送信データはベースバンド信号としてＡＳＫ変調部２３４に転送された上、周波数シンセサイザ２３８からのローカル周波数（周波数：ｆ０　）でＡＳＫ変調（振幅偏移変調（ａｍｐｌｉｔｕｄｅ　ｓｈｉｆｔ　ｋｅｙｉｎｇ））される。
ここで、注意すべきは、キャリア検出部２５から通信制御部２３３には、携帯電話機３からの電波の送信開始タイミングが周期的に通知されていることから、リーダライタ２０からタグ１０への電波の送信は、その送信開始タイミングに同期して開始されるべく、各部が制御されるようになっている。
【００２１】
因みに、その周波数シンセサイザ２３８に対する周波数設定は通信制御部２３３から行われる。一般に、タグ１０からの信号の定在波やマルチパスの軽減化上、タグ１０への送信周波数はホッピングして用いられる。このホッピングの指示も通信制御部２３３から行われる。
【００２２】
以上のように、ＡＳＫ変調部２３４では、ベースバンド処理部２３２からのベースバンド信号がＡＳＫ変調されているが、このＡＳＫ変調されたベースバンド信号がサーキュレータ２３５を介しアンテナ２２からタグ１０に向けて、電波として放射されているものである。この放射された電波はタグ１０側で既述の如く処理されているが、バックスキャッタ方式でタグ１０から電波として反射されてくる信号は、その周波数がリーダライタ２０から送信される信号の周波数と同一となる。したがって、そのタグ１０からの信号がアンテナ２２で受信された上、送信時と同一ローカル周波数が入力されているミキサ２３６に入力されれば、ミキサ２３６からはタグ１０側での変調信号が出現されることになる。復調部２３７では、その信号から“１”，“０”のデータへの復調が行われた後、ベースバンド処理部２３２に転送され、ベースバンド処理部２３２ではまた、データがデコードされることで、タグ１０内のメモリ部１１１上での情報、即ち、事前設定情報が抽出される。この事前設定情報は、通信制御部２３３による制御下に、ホストインタフェース部２３１を介しホスト機器２１に転送される。
【００２３】
以上のようにして、リーダライタ２０によりタグ１０内のメモリ部１１１上に事前設定されている情報が非接触で読出可能とされているわけであるが、一般的には、タグ１０からのデータ読出の他、所望データをリーダライタ２０によりタグ１０内のメモリ部１１１上に書込することも可能とされている。
【００２４】
以上の説明から判るように、結局、本発明の無線タグシステムでは、汎用電波送信源として、一般的に普及している携帯電話機が用いられていることから、特別な電波送信源不要として、タグで必要とされる動作電源が容易、且つ経済的に得られるばかりか、タグとリーダライタ間通信距離の拡大化が可能となっている。具体的に、その通信距離に言及すれば、送信電力が８００ｍＷのＰＤＣ方式による場合、３ｍ程度までの通信距離の確保が期待され得るものとなっている。
【００２５】
図３はまた、汎用電波送信源として、ＰＤＣ方式の携帯電話機が想定されている場合でのリーダライタ動作の一例でのタイミングフローを示したものである。図示のように、ＰＤＣ方式にはＴＤＭＡ（Ｔｉｍｅ　Ｄｉｖｉｓｉｏｎ　Ｍｕｌｔｉｐｌｅ　Ａｃｃｅｓｓ　）が採用されており、通信モードでは、携帯電話機からは２０ｍｓｅｃ　周期で約６．　７ｍｓｅｃ　のバースト送信が行われているが、この約６．　７ｍｓｅｃ　の間、タグでは携帯電話機からの電波が受信されることで、内部動作電源が得られているものである。
【００２６】
一方、リーダライタでも、同じく約６．　７ｍｓｅｃ　の間、携帯電話機からの電波が受信されることで、その電波の送信開始タイミングが検出されており、この送信開始タイミングでリーダライタからタグに対して信号が電波として送信される。その信号の前半では、タグへのコマンドが送信される。具体的には、データの読出を行うか書込を行うかのアクセス種別や、データシーケンス番号等の情報が信号の前半で送信されている。また、信号の後半では、データの送受信が行われる。タグからのデータ読出の場合は、タグでは、コマンド受信後、メモリ部から読出されたデータは反射電波を利用してリーダライタに送信されているが、タグへのデータ書込の場合には、タグへのコマンド送信後、書込データが引き続き送信されている。何れにしても、タグとリーダライタ間の通信は、携帯電話機からの電波の送信時間内、即ち、約６．　７ｍｓｅｃ　内で終了されるように、データはコマンドと時間分割されて送受信される。もしも、その送信時間内でデータの送受信が不可能である場合には、複数のバースト送信区間に亘ってデータが送受信処理されればよいものである。
【００２７】
図４にはまた、タグからデータ読出が行われる際でのリーダライタ動作の一例でのフローが示されているが、これについて簡単に説明すれば、以下のようである。
【００２８】
即ち、携帯電話機の通信開始に伴い、携帯電話機からは２０ｍｓｅｃ　周期で約６．　７ｍｓｅｃ　の間、バースト的に電波（キャリア）の送信が行われているが、リーダライタでは、携帯電話機からの電波が受信されることで、その送信開始タイミングが検出される（処理４１，４２）。このキャリアの送信開始タイミングの検出を待って、初めてリーダが起動されることで、タグには読出コマンドが送信される（処理４３，４４）。タグでは、その読出コマンドに対する応答として、メモリ部からはデータとしての事前設定情報が読み出された上、反射電波を利用してリーダライタに送信されているものである（処理４５）。
【００２９】
以上は、タグからデータ読出が行われる際でのリーダライタ動作フローであるが、タグへのデータ書込が行われる際での動作フローとしては、処理４４においては書込コマンドが送信され、処理４５においては書込データがタグに送信されるようにすればよい。
【００３０】
ところで、図２に示す無線タグシステムでは、汎用電波送信源としての携帯電話機３の使用が前提とされているが、場合如何によっては、タグとリーダライタ間通信距離が短くて済まされ、したがって、携帯電話機３が不要、あるいは使用されない場合もあり得る。このような場合にも対処可能とするには、図５に示すように、リーダライタ２０に新たに設けられたモード選択スイッチ２５が、外部から所望にマニュアル操作されるようにすればよい。例えばモード選択スイッチ２５は、通常、ＯＮ状態に設定された上、キャリア検出部２５からの送信開始タイミングに基づき、通信制御部２３３による制御下にタグ１０との間でデータが送受信処理されているが、それがＯＦＦ状態に設定された場合には、キャリア検出部２５からの送信開始タイミングは通信制御部２３３で無視されることで、恰も、上記従来技術に係るＲＦＩＤシステムと同様にして、タグ１０との間でデータが送受信処理されているものである。
【００３１】
最後に、本発明の無線タグシステムの応用例としての広告システムについて説明すれば、以下のようである。
即ち、図６に示すように、広告紙９には予めタグ１０が貼付されており、そのタグ１０にはその広告に関する詳細情報を得るためのＵＲＬが事前設定されているとして、そのＵＲＬに基づき、携帯電話機３上にその詳細情報がダウンロードされるようにしたものである。
【００３２】
より具体的に説明すれば、先ずユーザにより携帯電話機３から移動体通信網６を介しインターネット７へのダイヤルアップ接続が行われるが、回線接続後、携帯電話機３をタグ１０に近づけた状態、したがって、タグ１０に携帯電話機３から電力が供給された状態でリーダライタ２０が起動されることによって、タグ１０からリーダライタ２０にはＵＲＬが読出されることになる。このＵＲＬはリーダライタ２０から携帯電話機３にデータ通信用ケーブル５を介し直ちに転送されることで、そのＵＲＬに基づき携帯電話機３は情報提供サーバ８に接続され得ることから、所望情報が携帯電話機３上にダウンロード可能とされているものである。その際、携帯電話機３からタグ１０には電力供給が行われているので、タグ１０とリーダライタ２０との間の距離が３ｍ程度であっても、タグ１０からのＵＲＬ読出が可能とされているものである。
【００３３】
因みに、以下のような発明（１）〜（３）も考えられる。
（１）ＲＦＩＤ（Ｒａｄｉｏ　Ｆｒｅｑｕｅｎｃｙ　Ｉｄｅｎｔｉｆｉｃａｔｉｏｎ）タグ内に、前記タグと通信を行うためのタグリーダライタとは別の無線通信からの電波を受信するアンテナと、前記電波を電力源に変換し、内部に電力供給を行う整流部とを具備させてなることを特徴とするＲＦＩＤタグ装置。
（２）１つの装置内に、ＲＦＩＤ（Ｒａｄｉｏ　Ｆｒｅｑｕｅｎｃｙ　Ｉｄｅｎｔｉｆｉｃａｔｉｏｎ）タグに対しデータを読み書きするリーダライタ機能と、他の無線通信手段からの電波を受信するアンテナと、前記電波より送信開始タイミングを検出するキャリア検出部を備え、前期送信開始タイミングに同期して、前記ＲＦＩＤタグに対しデータを読み書きすることを特徴とするＲＦＩＤタグ・リーダライタ装置。
（３）請求項１記載のＲＦＩＤタグと、請求項２記載のＲＦＩＤタグ・リーダライタ装置を用いて、前記ＲＦＩＤタグに対しデータを読み書きする際に、他の無線通信手段を送信状態にして、前記ＲＦＩＤタグに前記他の無線通信手段から電波を放射することを特徴とするＲＦＩＤシステム。
【００３４】
以上、本発明者によってなされた発明を実施の形態に基き具体的に説明したが、本発明は上記実施の形態に何ら限定されるものではなく、その要旨を逸脱しない範囲内で種々変更可能であることは云うまでもないことである。
【００３５】
【発明の効果】
以上、説明したように、本発明の効果としては、以下のようなものが挙げられる。
即ち、無線タグ自体の動作電源が、リードライタ以外からの送信電波から容易、且つ経済的に確保されることによって、無線タグとリードライタ間の通信距離がより大きく確保された状態で、無線タグに対するデータ書込・読出が可能とされた無線タグシステムが提供される。
【００３６】
また、無線タグシステムに１構成要素として使用されて、無線タグとの間の通信距離が容易、且つ経済的により大きく確保された状態で、無線タグに対するデータ書込・読出が可能とされたリーダライタが提供される。
【００３７】
更に、無線タグ自体の動作電源が、リードライタ以外からの送信電波から容易、且つ経済的に確保されることによって、無線タグとリードライタ間の通信距離がより大きく確保されつつ、無線タグに対するデータ書込・読出を行い得るデータ書込・読出方法が提供される。
【図面の簡単な説明】
【図１】本発明の一実施の形態における無線タグシステムの一例でのシステム概要を示す図である。
【図２】そのシステムの一例での詳細な構成を示す図である。
【図３】本発明に係る汎用電波送信源として、ＰＤＣ方式の携帯電話機が想定されている場合でのリーダライタ動作の一例でのタイミングフローを示す図である。
【図４】リーダライタ動作（データ読出時）の一例でのフローを示す図である。
【図５】本発明のタグシステムの他の例での詳細な構成を示す図である。
【図６】本発明の無線タグシステムの応用例としての広告システムを示す図である。
【図７】従来技術に係るＲＦＩＤシステムのシステム概要を示す図である。
【図８】そのシステムの更に詳細な構成を示す図である。
【符号の説明】
３…携帯電話機（汎用電波送信源）、１０…（無線）タグ、１１…タグチップ、１２，１３，２２，２４…アンテナ、２０…リーダライタ、２３…リーダライタモジュール
【図１】
2004054515.tif 000003
【図２】
2004054515.tif 000004
【図３】
2004054515.tif 000005
【図４】
2004054515.tif 000006
【図５】
2004054515.tif 000007
【図６】
2004054515.tif 000008
【図７】
2004054515.tif 000009
【図８】
2004054515.tif 000010